【事件の表示】
　特願２００３−　６７００１「装着ラベル」拒絶査定不服審判事件〔平成１６年１０月　７日出願公開、特開２００４−２７９４７０〕について、次のとおり審決する。
【結　論】
　本件審判の請求は、成り立たない。
【理　由】
第１　手続の経緯
　本願は、平成１５年３月１２日の出願であって、平成２１年１２月２４日付けで手続補正がなされ、平成２２年２月１日付けで拒絶査定がなされ、これに対して、同年４月３０日付けで拒絶査定不服審判の請求がなされ、その請求と同時に手続補正がなされたものである。
　
第２　平成２２年４月３０日付け手続補正についての補正却下の決定
〔補正却下の決定の結論〕
　平成２２年４月３０日付け手続補正を却下する。
　
〔理由〕
１　本件補正の内容
（１）平成２２年４月３０日付け手続補正（以下「本件補正」という。）は、明細書の特許請求の範囲及び発明の詳細な説明についてするもので、特許請求の範囲の請求項１については、本件補正前に、
　
「プラスチックシートを接着して予め筒状に形成した筒状部を含む、物品の周囲に装着される装着ラベルにおいて、筒状に成形されたプラスチックシートの重なり部分
に架
とあったものを、
　
「プラスチックシートを接着して予め筒状に形成した筒状部を含む、物品の周囲に装着される装着ラベルにおいて、筒状に成形されたプラスチックシートの重なり部分に
液状化した
とするものである（下線は審決で付した。以下同じ。）。
　
（２）上記（１）の請求項１に係る本件補正は、本件補正前の請求項１に係る発明を特定するために必要な事項である「『筒状に成形されたプラスチックシートの重なり部分』に『塗布され』る『架橋型ホットメルト接着剤』」を、「液状化した」ものと限定するものである。
　
２　本件補正の目的
　請求項１に係る本件補正は、上記１（２）のとおり、本件補正前の請求項１に係る発明を特定するために必要な事項を限定して、本件補正後の請求項１とするものであるから、平成１８年法律第５５号改正附則第３条第１項によりなお従前の例によるとされる同法による改正前の特許法（以下「旧特許法」という。）第１７条の２第４項第２号に掲げる特許請求の範囲の減縮を目的とするものである。
　そこで、本件補正後の請求項１に係る発明（以下「本願補正発明」という。）が、特許出願の際独立して特許を受けることができるものであるか（旧特許法第１７条の２第５項において準用する同法第１２６条第５項の規定に適合するか）について以下検討する。
　
３　独立特許要件
（１）本願補正発明
　本願補正発明は、上記第２〔理由〕１（１）に本件補正後の請求項１として記載したとおりのものである。
　
（２）引用刊行物及び引用発明
　ア　原査定の拒絶の理由に引用された、本願の出願前に頒布された刊行物である特開２００１−３４３８９５号公報（以下「引用例１」という。）には、次の事項が記載されている。
　
（ア）「【０００６】さらに、多数の用途において、容器は加熱充填中（例えば、フルーツジュース加工処理）に、または別個の殺菌工程を必要とする場合には充填後に、加熱を施され、これらの工程は接着結合に付加的な応力を加える。これらの工程で用いられる場合、従来の接着剤は適切な熱強度を有さない。熱収縮性フィルムまたはラベルとともに用いるための接着剤に必要とされる望ましい特性を提供するために、従来技術は、ホットメルト接着剤の使用を教示する。これまで、熱収縮性フィルムまたはラベル用の硬化性接着剤は考慮されたことがない。
【０００７】
【課題を解決するための手段】放射線硬化性接着剤組成物は、連続工程に関与した高速でも容器上での熱収縮性フィルムまたはラベルの満足のいく適用を可能にし、この場合、このような
放射線硬化性接着剤組成物は硬化後に即時高熱耐性を得る
【０００８】したがって、本発明は、放射線硬化性接着剤を被覆した熱収縮性フィルムまたはラベルおよび容器に熱収縮性フィルムラベルを適用するための方法であって、
ａ）熱収縮性であるが非収縮化フィルムまたはラベルセグメントの少なくとも一部を放射線硬化性接着剤で被覆し、ｂ）フィルムまたはラベルを容器の縦表面に適用し、ｃ）放射線硬化性接着剤に放射線源を施して、硬化させ、そしてｄ）恒久的にフィルムまたはラベルを容器に貼り付けるために、容器に熱を施して容器上のフィルムまたはラベルを収縮させる
【０００９】
いくつかの接着剤組成物に関しては、工程ｂ）およびｃ）を逆にすることができるし、それが望ましい
　
（イ）「【００１２】
放射線硬化性接着剤とは
１種以上の以下のものを含む接着剤を意味する
（ａ）
ベース樹脂
【００１３】（ｂ）
光開始剤
陽イオン性光開始剤
…（略）…
【００１８】（ｆ）
相溶性ポリマー
これらの高ビニルコポリマーは反応性であり、系の架橋に関与する
【００１９】（ｇ）しばしば
架橋密度、Ｔｇ、粘度および特異的接着性を調整するために添加される陽イオン性硬化系のためのアルコール含有共反応体
【００２０】（ｈ）当業者に既知のその他の添加剤。これらの添加剤としては、顔料、充填剤、蛍光添加剤、流動および均展添加剤、湿潤剤、界面活性剤、消泡剤、レオロジー改質剤、安定剤および酸化防止剤が挙げられるが、これらに限定されない。好ましい添加剤は、当該波長で評価可能な吸収を有さないものである。」
　
（ウ）「【００２９】本発明の
放射線硬化性接着剤組成物は
紫外線（ＵＶ）
への曝露時にそれらの接着特性を獲得する
　
（エ）「【００３６】放射線硬化性接着剤は次に、特に米国特許第4,704,173号および第4,844,957号に記載されている慣用的包装装置を用いて、適切な容器中に熱収縮性ラベルを貼るために用いられる。その技法は、ポリオレフィン、例えばポリプロピレンまたはポリエチレンから、あるいはポリ塩化ビニルフィルムまたは発泡ポリエチレン、ポリプロピレンまたはポリスチレンのような同様の
プラスチックシートから製造される熱収縮性ラベル
【００３７】典型的工程パラメーターを以下に挙げるが、これらに限定されない：
（ａ）
熱収縮性フィルムに
放射線硬化性接着剤を適用し
（ｂ）フィルムまたはラベルの種類および放射線硬化性接着剤の種類および量に依存する、典型的には約24℃〜約149℃（約75゜Ｆ〜約300゜Ｆ）の適用温度で、約40個／分より大きいラベル貼り速度を用いて；
（ｃ）放射線硬化性接着剤は約2.54〜約25.4ミクロン（約0.1〜約1.0 mil）の厚みで、型押しまたは平滑ロールで適用し得る；
（ｄ）
放射線硬化性接着剤は、巻き付け前に
照射し得る
（ｅ）
ＵＶ灯
（ｆ）巻き付け、照射された
容器を次に、熱収縮トンネルに通す
【００３８】概して、
ラベルは容器の周囲で均一に収縮し
　
（オ）上記（ア）ないし（エ）から、引用例１には、次の発明（以下「引用発明」という。）が記載されていると認められる。
　
「プラスチックシートから製造され、放射線硬化性接着剤が適用された熱収縮性ラベルであって、容器に巻き付けられ、該容器の周囲で均一に熱収縮する熱収縮性ラベルにおいて、
　前記放射線硬化性接着剤は、ベース樹脂と、陽イオン性光開始剤と、相溶性ポリマーと、架橋密度、Ｔｇ、粘度及び特異的接着性を調整するために添加される陽イオン性硬化系のためのアルコール含有共反応体とを含むものであって、前記巻き付け前にＵＶ灯から紫外線（ＵＶ）が照射されて硬化し、高熱耐性を得たものである、
　熱収縮性ラベル。」
　
　イ　原査定の拒絶の理由に引用された、本願の出願前に頒布された刊行物である特開２００２−３６３５１７号公報（以下「引用例２」という。）には、次の事項が記載されている。
　
（ア）「【００１４】上記要件を満たす本発明に用いるホットメルト型粘着剤の材料としては、上記の自着力および保持力を満足するならば特に限定されることはなく、例えば、スチレン-ポリイソプレンブロックコポリマー（ＳＩＳ）、スチレン-ポリブタジエンブロックコポリマー（ＳＢＳ）、スチレン-エチレンブチレンブロックコポリマー（ＳＥＢＳ）、スチレン-エチレンプロピレンブロックコポリマー（ＳＥＰＳ）等のスチレン系ブロックコポリマー、エチレン・酢酸ビニル共重合樹脂（ＥＶＡ）、ポリアミド、ポリエステル等や、２−エチルヘキシルアクリレート、エチルアクリレート、ブチルアクリレート等の主モノマーに共重合可能成分を任意に重合したアクリル系ポリマーなどを用いることができる。
【００１５】これらのうち、アクリル系ポリマーを主体とするアクリル系粘着剤は、透明性や耐光性に優れるため好ましい。また、
ホットメルト型粘着剤
加熱塗工後に紫外線や電子線のごとき電離放射線を照射せしめ、これを硬化させる、電離放射線架橋ホットメルト型などに分類される
電離放射線架橋ホットメルト型
【００１６】本発明に用いられる、粘着剤自着力が５００ｇ以下／２５ｍｍであり、かつＪＩＳ  Ｚ０２３７に準拠する６０℃での保持力が８時間以上の
電離放射線架橋ホットメルト型粘着剤の具体例としては
紫外線硬化型アクリル系ホットメルト接着剤
　
（イ）「【００２５】［実施例１］市販のポリエチレンラミネート剥離シートの剥離剤面上に、アクリル系ポリマーを主体とし、
紫外線架橋が可能なＵＶ架橋型ホットメルト粘着剤
を
塗工し
粘着ラベルを得た
　
（３）対比
　本願補正発明と引用発明とを対比する。
　ア　引用発明の「容器」及び「容器に巻き付けられ、該容器の周囲で均一に熱収縮する熱収縮性ラベル」は、それぞれ、本願補正発明の「物品」及び「物品の周囲に装着される装着ラベル」に相当する。
　
　イ　引用発明において、「装着ラベル（熱収縮性ラベル）」は、プラスチックシートから製造され、放射線硬化性接着剤が適用されたものであって、「物品（容器）」に巻き付けられ、該「物品」の周囲で均一に熱収縮するものであり、前記放射線硬化性接着剤は、ベース樹脂と、陽イオン性光開始剤と、相溶性ポリマーと、
架橋密度
　
　ウ　上記ア及びイから、本願補正発明と引用発明とは、
「プラスチックシートを接着して予め筒状に形成した筒状部を含む、物品の周囲に装着される装着ラベルにおいて、筒状に成形されたプラスチックシートの重なり部分に架橋型接着剤が施され、該架橋型接着剤において架橋が行われ、プラスチックシートの重なり部分が接着されてなることを特徴とする、物品の周囲に装着される装着ラベル。」
である点で一致し、次の点で相違する。
　
相違点：
　前記架橋型接着剤が、本願補正発明では、「架橋型ホットメルト接着剤」であって、「液状化」されて「塗布」されるものであるのに対して、引用発明では、ホットメルト接着剤であるのか明らかでない放射線硬化性接着剤である点。
　
（４）判断
　上記相違点について検討する。
　ア　引用例１には、「熱収縮性フィルムまたはラベルとともに用いるための接着剤に必要とされる望ましい特性を提供するために、従来技術は、
ホットメルト接着剤
　
　イ　引用例２には、加熱塗工後に紫外線や電子線のごとき電離放射線が照射され、硬化する
電離放射線架橋ホットメルト型粘着剤
　
　ウ　上記ア及びイから、引用発明において、架橋型接着剤として、架橋型ホットメルト接着剤を用いることとし、該架橋型ホットメルト接着剤を加熱し液状化して熱収縮性ラベルに塗布するようになし、上記相違点に係る本願補正発明の構成となすことは、当業者が、引用例１に記載された事項及び引用例２に記載された事項に基づいて容易になし得た程度のことである。
　
　エ　効果について
　本願補正発明の奏する効果は、当業者が、引用発明の奏する効果、引用例１に記載された事項及び引用例２に記載された事項から予測できた程度のものである。
　
　オ　まとめ
　したがって、本願補正発明は、当業者が、引用例１に記載された発明、引用例１に記載された事項及び引用例２に記載された事項に基づいて容易に発明をすることができたものである。
　よって、本願補正発明は、特許法第２９条第２項の規定により特許出願の際独立して特許を受けることができないものである。
　
４　小括
　以上のとおり、本願補正発明は、特許出願の際独立して特許を受けることができないものであるから、本件補正は、旧特許法第１７条の２第５項において準用する同法第１２６条第５項の規定に違反するものである。
　したがって、本件補正は、旧特許法第１５９条第１項において読み替えて準用する同法第５３条第１項の規定により却下すべきものである。
　
第３　本願発明について
１　本願発明
　本件補正は、上記第２のとおり却下されたので、本願の請求項１ないし４に係る発明は、平成２１年１２月２４日付け手続補正により補正された明細書及び図面の記載からみて、明細書の特許請求の範囲の請求項１ないし４にそれぞれ記載された事項によって特定されるものであるところ、請求項１に係る発明（以下「本願発明」という。）は、上記第２〔理由〕１（１）に本件補正前の請求項１として記載したとおりのものである。
　
２　引用例
　原査定の拒絶の理由に引用された引用例１及び２並びにそれらの記載事項は、上記第２〔理由〕３（２）に記載したとおりのものである。
　
３　対比・判断
　本願発明は、上記第２〔理由〕３で検討した本願補正発明において、その発明特定事項である「「『筒状に成形されたプラスチックシートの重なり部分』に『塗布され』る『液状化した架橋型ホットメルト接着剤』」から、「液状化した」ものとの限定を省いたものである（上記第２〔理由〕１（２）参照。）。
　そうすると、本願発明の構成要件をすべて含み、さらに限定を付加したものに相当する本願補正発明が、上記第２〔理由〕３に記載したとおり、当業者が、引用例１に記載された発明、引用例１に記載された事項及び引用例２に記載された事項に基づいて容易に発明をすることができたものであるから、本願発明も同様の理由により、当業者が、引用例１に記載された発明、引用例１に記載された事項及び引用例２に記載された事項に基づいて容易に発明をすることができたものである。
　
４　むすび
　以上のとおり、本願発明は、当業者が、引用例１に記載された発明、引用例１に記載された事項及び引用例２に記載された事項に基づいて容易に発明をすることができたものであるから、特許法第２９条第２項の規定により特許を受けることができない。
　したがって、本願のその余の請求項に係る発明について検討するまでもなく、本願は拒絶を免れない。
　よって、結論のとおり審決する。